(57)【要約】【課題】透光部材の小型化を図ることができる、画像読取装置を提供する。【解決手段】スペーサ１０２の第１部分１３１およびスペーサ１０３の第１部分１４１が密着イメージセンサモジュール６４とコンタクトガラス６３との間に介在される。また、スペーサ１０２の第２部分１３２およびスペーサ１０３の第２部分１４２は、コンタクトガラス６３と係合壁部１１２との間に介在される。そのため、コンタクトガラス６３が係合壁部１１２まで延びている構成と比較して、コンタクトガラス６３の左右方向のサイズを小型化することができる。【選択図】図５
2014099828.tif 000002
【特許請求の範囲】
【請求項１】
筐体と、
前記筐体に設けられ、シートを第１方向に搬送するように構成される搬送部と、
前記筐体に設けられ、前記第１方向と直交する第２方向に延び、前記搬送部によって搬送されるシートの画像を読み取るように構成される読取部と、
前記読取部に対し、前記第１方向および前記第２方向と直交する第３方向の一方側に位置する透光部材と、
前記読取部と前記透光部材との間に介在される第１部分と、前記第１部分から前記第１方向の一方側に延出する第２部分とを有するスペーサとを備える、画像読取装置。
【請求項２】
前記スペーサは、前記第２部分から前記第３方向の前記一方側に突出し、前記第１方向の他方側の突出量が前記第１方向の前記一方側の突出量よりも大きい突出部を有する、請求項１に記載の画像読取装置。
【請求項３】
前記スペーサは、前記第２部分から前記第３方向の他方側に延び、その先端部が前記第１方向の前記一方側に延び、前記筐体に係合するように構成される係合部を有する、請求項１または２に記載の画像読取装置。
【請求項４】
前記読取部は、前記第２方向に延びる本体部と、前記本体部から前記第１方向の前記一方側に突出し、前記読取部を前記筐体に位置決めするように構成される位置決め部とを備え、
前記第２部分は、前記位置決め部を前記第３方向の一方側から覆う、請求項１〜３のいずれか一項に記載の画像読取装置。
【発明の詳細な説明】
【技術分野】
【０００１】
本発明は、画像読取装置に関する。
【背景技術】
【０００２】
特許文献１に開示されている画像読取装置は、コンタクトガラスおよび画像読取部を備えている。シートが搬送される搬送路は、コンタクトガラス上を経由している。画像読取部は、コンタクトガラスに対して搬送路側と反対側に配置されている。シートがコンタクトガラス上を通過する際に、画像読取部からコンタクトガラス上のシートに光が照射される。そして、シートでの反射光が画像読取部のイメージセンサに受けられることにより、シートの画像が読み取られる。
【０００３】
画像読取装置の筐体は、画像読取部に対して搬送方向の外側に間隔を空けた位置に、搬送方向と直交する方向に延びる壁部を備えている。コンタクトガラスは、コンタクトガラスは、その壁部上に設けられている。
【先行技術文献】
【特許文献】
【０００４】
【特許文献１】特開２０１０−２１９９５２号公報
【発明の概要】
【発明が解決しようとする課題】
【０００５】
そのため、コンタクトガラスのサイズ、とくに搬送方向のサイズが大きいという問題があった。
【０００６】
本発明の目的は、透光部材の小型化を図ることができる、画像読取装置を提供することである。
【課題を解決するための手段】
【０００７】
前記の目的を達成するため、本発明の一の局面に係る画像読取装置は、筐体と、前記筐体に設けられ、シートを第１方向に搬送するように構成される搬送部と、前記筐体に設けられ、前記第１方向と直交する第２方向に延び、前記搬送部によって搬送されるシートの画像を読み取るように構成される読取部と、前記読取部に対し、前記第１方向および前記第２方向と直交する第３方向の一方側に位置する透光部材と、前記読取部と前記透光部材との間に介在される第１部分と、前記第１部分から前記第１方向の一方側に延出する第２部分とを有するスペーサとを備える。
【０００８】
この構成によれば、スペーサの第１部分が読取部と透光部材との間に介在される。これにより、読取部と透光部材との間隔が一定距離、つまり第１部分の厚さに調整される。そのため、透光部材上に配置されるシートと読取部との間隔を一定距離にすることができる。その結果、読取部により、シートの画像を良好に読み取ることができる。
【０００９】
第２部分がスペーサの第１部分から第１方向の一方側に延出している。そのため、透光部材と筐体における読取部から第１方向の一方側に離間する壁部との間に、第２部分を介在させることができる。よって、透光部材が筐体の壁部まで延びている構成と比較して、透光部材の第１方向のサイズを小型化することができる。
【００１０】
スペーサは、第２部分から第３方向の一方側に突出し、第１方向の他方側の突出量が第１方向の一方側の突出量よりも大きい突出部を有していてもよい。
【００１１】
この構成によれば、シートが第１方向の一方側から他方側に搬送されるときに、シートを突出部に摺擦させることができる。突出部の第１方向の他方側の突出量が第１方向の一方側の突出量よりも大きいので、突出部により、シートを透光部材上にスムーズに案内することができる。
【００１２】
スペーサは、第２部分から第３方向の他方側に延び、その先端部が第１方向の一方側に延び、筐体に係合するように構成される係合部を有していてもよい。
【００１３】
この構成によれば、係合部が筐体に係合することにより、スペーサが筐体から浮くことを抑制できる。その結果、スペーサの第１部分により、読取部の移動を抑制することができる。
【００１４】
読取部は、第２方向に延びる本体部と、本体部から第１方向の一方側に突出し、読取部を筐体に位置決めするように構成される位置決め部とを備え、第２部分は、位置決め部を第３方向の一方側から覆っていてもよい。
【００１５】
この構成によれば、スペーサの第２部分により、位置決め部が第３方向の一方側に動くことを抑制できる。その結果、読取部の移動を抑制することができる。
【発明の効果】
【００１６】
本発明によれば、透光部材の小型化を図ることができる。
【図面の簡単な説明】
【００１７】
【図１】図１は、本発明の一実施形態に係る画像読取装置１の左前上方から見た斜視図であり、トレイ３がトレイ位置に位置する状態を示す。
【図２】図２は、図１に示される画像読取装置１の断面図である。
【図３】図３は、画像読取装置１の左前上方から見た斜視図であり、排出カバー５がトレイ位置に位置する状態を示す。
【図４】図４は、図３に示される画像読取装置１の断面図である。
【図５】図５は、上読取部３０の右前下方から見た斜視図である。
【図６】図６は、上読取部３０の右後下方から見た斜視図である。
【図７】図７は、上読取部３０の下方から見た平面図である。
【図８】図８は、図７に示される切断線Ａ−Ａにおける上読取部３０の断面図である。
【図９】図９は、図７に示される切断線Ｂ−Ｂにおける上読取部３０の断面図である。
【図１０】図１０は、前側のスペーサ１０２の右後下方から見た斜視図である。
【図１１】図１１は、後側のスペーサ１０３の右前下方から見た斜視図である。
【図１２】図１２は、コンタクトガラス６３、密着イメージセンサモジュール６４およびスペーサ１０２，１０３の配置を説明するための説明図である。
【発明を実施するための形態】
【００１８】
以下では、本発明の実施の形態について、添付図面を参照しつつ詳細に説明する。
【００１９】
＜外観構成＞
【００２０】
図１および図３に示されるように、画像読取装置１は、筐体２、トレイ３、メンテナンスカバー４および排出カバー５を備える。トレイ３、メンテナンスカバー４および排出カバー５は、筐体２に取り付けられている。
【００２１】
なお、トレイ３およびメンテナンスカバー４が設けられている側を上側とし、排出カバー５が設けられている側を左側として、上下、左右および前後の各方向を規定する。そして、図１以降の各図では、矢印で方向を表示する。
【００２２】
筐体２は、非図示のプリンタの筐体に上方から結合される。筐体２は、前側板６、後側板７、左側板８および右側板９を備える。前側板６および後側板７は、互いに前後方向に間隔を空けて配置されている。左側板８は、前側板６および後側板７の各左端部間に架設されている。左側板８は、前左側板１０と後左側板１１とに分割されている。前左側板１０および後左側板１１は、互いに前後方向に離間している。右側板９は、前側板６および後側板７の各右端部間に架設されている。
【００２３】
トレイ３は、前側板６および後側板７の各中央部間に配置されている。トレイ３は、カバー位置と図１などに示すトレイ位置との間で、その右端縁に沿って前後方向に延びる回動軸線まわりに回動可能に設けられている。トレイ３は、カバー位置において、筐体２の上面１２に沿って延びる。トレイ３は、トレイ位置において、筐体２から右上がりに延出する。
【００２４】
メンテナンスカバー４は、前側板６および後側板７間に配置されている。メンテナンスカバー４は、閉位置と開位置との間で、その右端縁に沿って前後方向に延びる回動軸線まわりに回動可能に設けられている。メンテナンスカバー４は、閉位置において、筐体２の上面１２に沿って延びる。メンテナンスカバー４は、開位置において、筐体２から左上がりに延出する。
【００２５】
排出カバー５は、前左側板１０と後左側板１１との間に配置されている。排出カバー５は、カバー位置とトレイ位置との間で、その下端縁に沿って前後方向に延びる回動軸１３を支点に回動可能に設けられている。排出カバー５は、図１および図２に示されるように、カバー位置において、上下方向に延びる。排出カバー５がカバー位置に位置する状態で、排出カバー５の外面は、前左側板１０および後左側板１１の各外面と略同一平面上に配置される。排出カバー５は、図３および図４に示されるように、トレイ位置において、筐体２から左上がりに延出する。
【００２６】
＜内部構成＞
【００２７】
画像読取装置１は、図２および図４に示されるように、供給部２１、１対のシート幅ガイド２２、供給ローラ２３、分離ローラ２４、分離片２５、共通パス形成部２６、搬送部の一例としての３つの第１ＬＦローラ２７、搬送部の一例としての３つの従動ローラ２８、下読取部２９、上読取部３０、搬送部の一例としての３つの第２ＬＦローラ３１、搬送部の一例としての３つの従動ローラ３２、搬送部の一例としての従動ローラ３３、第１パス形成部３５、搬送部の一例としての３つの従動ローラ３６、排出部３７および第２パス形成部３８を備える。
【００２８】
供給部２１は、筐体２の左右方向の中央部に設けられている。画像読取の対象であるシートＳは、供給部２１の上面４１に載置される。
【００２９】
１対のシート幅ガイド２２は、供給部２１に設けられている。１対のシート幅ガイド２２は、互いに前後方向に対向している。１対のシート幅ガイド２２は、それらの間の中央を基準として、互いに同じ移動量で近接および離間可能に構成されている。１対のシート幅ガイド２２の間隔は、供給部２１の上面４１に載置されるシートＳの前後方向の幅に合わせて調節される。シートＳは、１対のシート幅ガイド２２の間に右側から差し込まれる。これにより、シートＳは、供給部２１の上面４１にセンタ基準で載置される。
【００３０】
供給ローラ２３は、供給部２１の左側かつ前後方向の中央部に配置されている。供給ローラ２３は、筐体２に、前後方向に延びる回転軸線まわりに回転可能に設けられている。
【００３１】
分離ローラ２４は、供給ローラ２３の左側かつ前後方向の中央部に配置されている。分離ローラ２４は、筐体２に、前後方向に延びる回転軸線まわりに回転可能に設けられている。
【００３２】
分離片２５は、分離ローラ２４の上側に配置されている。分離片２５は、分離ローラ２４の周面に上方から弾性的に当接している。
【００３３】
共通パス形成部２６は、分離ローラ２４の左側かつメンテナンスカバー４の下側において、筐体２に設けられている。共通パス形成部２６は、上側形成部５１および下側形成部５２を備える。上側形成部５１の下面５３は、左下がりに傾斜している。下側形成部５２の上面５４は、上側形成部５１の下面５３と間隔を空けてほぼ平行に延びている。上側形成部５１の下面５３と下側形成部５２の上面５４との間の空間は、シートＳが通過する共通パス５５である。
【００３４】
３つの第１ＬＦローラ２７は、前後方向に延びる回転軸５６に前後方向に等間隔を空けて取り付けられている。回転軸５６は、上側形成部５１の左右方向の中央部において、上側形成部５１の上面５４よりも上方に配置されている。回転軸５６は、筐体２に回転可能に保持されている。各第１ＬＦローラ２７の周面の一部は、共通パス５５に突出している。
【００３５】
３つの従動ローラ２８は、前後方向に等間隔を空けて設けられている。各従動ローラ２８は、前後方向に延びるばね軸５７に回転可能に支持されている。ばね軸５７は、下側形成部５２の左右方向の中央部において、下側形成部５２の上面５４よりも下側に配置されている。ばね軸５７は、筐体２に保持されている。各従動ローラ２８の周面の一部は、共通パス５５に突出している。各従動ローラ２８の周面の一部は、共通パス５５において、第１ＬＦローラ２７の周面に右下方から当接している。各従動ローラ２８は、第１ＬＦローラ２７の回転に従動して回転する。
【００３６】
下読取部２９は、図２および図４に示されるように、コンタクトガラス６１および密着イメージセンサモジュール６２を備える。
【００３７】
コンタクトガラス６１は、供給部２１、供給ローラ２３、分離ローラ２４および従動ローラ２８の下側において、筐体２に保持されている。コンタクトガラス６１は、筐体２の上面１２とほぼ平行をなして、左右方向および前後方向に延びている。コンタクトガラス６１の左端部は、共通パス形成部２６の左側に位置している。共通パス５５は、上側形成部５１の下面５３と下側形成部５２の上面５４との間からコンタクトガラス６１の上側を経由して左方に延びている。
【００３８】
密着イメージセンサモジュール６２は、コンタクトガラス６１の下側に、左右方向に移動可能に設けられている。密着イメージセンサモジュール６２の内部には、たとえば、ＬＥＤ光源、レンズおよびイメージセンサなどが設けられている。密着イメージセンサモジュール６２は、ＡＤＦ読取時および画像読取装置１の未使用時などにおいて、コンタクトガラス６１の左端部の下側に配置されている。
【００３９】
上読取部３０は、透光部材の一例としてのコンタクトガラス６３および読取部の一例としての密着イメージセンサモジュール６４を備える。
【００４０】
コンタクトガラス６３は、コンタクトガラス６１の左側かつコンタクトガラス６１よりも上側の位置において、筐体２に保持されている。コンタクトガラス６３は、前後方向に延びている。共通パス５５は、コンタクトガラス６３の下側を経由して左方に延びている。
【００４１】
密着イメージセンサモジュール６４は、コンタクトガラス６３の下側に配置されている。密着イメージセンサモジュール６４の内部には、たとえば、ＬＥＤ光源、レンズおよびイメージセンサなどが設けられている。
【００４２】
３つの第２ＬＦローラ３１は、上読取部３０の左側に設けられている。３つの第２ＬＦローラ３１は、前後方向に延びる回転軸６５に等間隔を空けて取り付けられている。回転軸６５は、筐体２に回転可能に保持されている。
【００４３】
３つの従動ローラ３２は、第２ＬＦローラ３１の下側に配置されている。３つの従動ローラ３２は、前後方向に延びる回転軸６６に等間隔を空けて取り付けられている。回転軸６６は、筐体２に回転可能に保持されている。各従動ローラ３２の周面の一部は、第２ＬＦローラ３１の周面に当接している。従動ローラ３２は、第２ＬＦローラ３１の回転に従動して回転する。
【００４４】
従動ローラ３３は、中央の第２ＬＦローラ３１の下側かつ従動ローラ３２の左側に配置されている。従動ローラ３３には、前後方向に延びる回転軸６７が挿通されている。回転軸６７は、筐体２に保持されている。従動ローラ３３の周面の一部は、中央の第２ＬＦローラ３１に当接している。従動ローラ３３は、第２ＬＦローラ３１の回転に従動して回転する。共通パス５５は、分離ローラ２４と分離片２５との接触位置から第２ＬＦローラ３１と従動ローラ３３との接触位置まで延びている。
【００４５】
第１パス形成部３５は、上側形成部７１および下側形成部７２を備える。上側形成部７１は、メンテナンスカバー４の内面に設けられている。上側形成部７１の左端部７３の下面は、第２ＬＦローラ３１の左側に間隔を空けた位置から第２ＬＦローラ３１の周面に沿って湾曲している。上側形成部７１の右端部７４の下面は、筐体２の上面１２とほぼ平行をなして、前後方向および左右方向に延びている。下側形成部７２は、上側形成部７１の右端部７４の下側に間隔を空けて、前後方向および左右方向に延びている。第２ＬＦローラ３１と上側形成部７１との間の空間および上側形成部７１と下側形成部７２との間の空間は、シートＳが通過する第１パス７５である。
【００４６】
３つの従動ローラ３６は、第２ＬＦローラ３１の上側に配置されている。３つの従動ローラ３６は、前後方向に延びる回転軸７６に等間隔を空けて取り付けられている。回転軸７６は、メンテナンスカバー４に回転可能に保持されている。各従動ローラ３６の周面の一部は、第１パス７５において、第２ＬＦローラ３１の周面に当接している。従動ローラ３２は、第２ＬＦローラ３１の回転に従動して回転する。
【００４７】
排出部３７は、下側形成部７２の右側において、供給部２１の上側に間隔を空けて設けられている。排出部３７の上面７７は、前後方向および左右方向に延びる略平面に形成されている。
【００４８】
第２パス形成部３８は、従動ローラ３３の左側において、筐体２に設けられている。第２パス形成部３８は、従動ローラ３３の左側に間隔を空けた位置から左方に少し延び、左上方に屈曲して、排出カバー５の下端部の右側に間隔を空けた位置まで延びている。第２パス形成部３８の上側の空間は、シートＳが通過する第２パス７８である。
【００４９】
また、画像読取装置１は、フラッパ８１およびリンク機構８２を備えている。
【００５０】
フラッパ８１は、第１パス形成部３５の上側形成部７１の左端部の下側に配置されている。フラッパ８１は、筐体２に、図２に示される状態と図４に示される状態とに揺動可能に設けられている。図２に示される状態のフラッパ８１は、第１パス７５に沿って延びる。図２に示される状態のフラッパ８１は、第１パス７５へのシートＳの進入を許容する。図４に示される状態のフラッパ８１は、第２パス７８に沿って延びる。図４に示される姿勢のフラッパ８１は、第２パス７８へのシートＳの進入を許容する。
【００５１】
リンク機構８２は、排出カバー５の変位に連動して、フラッパ８１を図２に示される状態と図４に示される状態とに変位させる。具体的には、排出カバー５がカバー位置からトレイ位置に変位されると、リンク機構８２の働きにより、フラッパ８１が図２に示される状態から図４に示される状態に移動する。また、排出カバー５がトレイ位置からカバー位置に変位されると、リンク機構８２の働きにより、フラッパ８１が図４に示される状態から図２に示される状態に移動する。
【００５２】
画像読取装置１は、第１受け部材９１および第２受け部材９３を備える。
【００５３】
第１受け部材９１は、排出カバー５に、排出カバー５の内面９４と間隔を空けて設けられている。これにより、第１受け部材９１と排出カバー５の内面９４との間には、第２受け部材９３を収納可能なスペース９５が形成されている。
【００５４】
第２受け部材９３は、スペース９５に収納される収納位置とスペース９５から延出する展開位置とに回動可能に設けられている。第２受け部材９３は、図３に示されるように、展開位置において、スペース９５から排出カバー５の内面９４に沿って延出する。第２受け部材９３は、延出部９７および突起部９８を備える。突起部９８は、第２受け部材９３が展開位置に位置する状態において、延出部９７の左端部に形成されている。突起部９８は、延出部９７から突出部９２と同じ側に突出している。
【００５５】
＜画像読取動作１＞
【００５６】
画像読取装置１における画像の読取対象のシートＳがコピー用紙などの腰の比較的弱いシートである場合、図１および図２に示されるように、排出カバー５が閉じられる。前述したように、シートＳは、供給部２１およびトレイ３上にセンタ基準で載置される。
【００５７】
シートＳの先端部は、供給ローラ２３の周面上に配置される。供給ローラ２３が前側から見て反時計回りに回転されると、供給部２１上の最下のシートＳの下面と供給ローラ２３の周面との摩擦力などにより、そのシートＳが分離ローラ２４と分離片２５との間に送り込まれる。
【００５８】
分離ローラ２４は、前側から見て反時計回りに回転されている。シートＳの先端部が分離ローラ２４と分離片２５との間に挟まれたときに、シートＳがたとえば１枚ずつに分離され、１枚のシートＳが分離ローラ２４と分離片２５との間を通過して、共通パス５５に送り込まれる。
【００５９】
第１ＬＦローラ２７は、前側から見て時計回りに回転されている。従動ローラ２８は、第１ＬＦローラ２７の回転に伴って、前側から見て反時計回りに回転している。共通パス５５に送り込まれたシートＳの先端部が第１ＬＦローラ２７および従動ローラ２８の各周面の当接部分に到達すると、第１ＬＦローラ２７および従動ローラ２８からシートＳに搬送力が付与される。シートＳの前後方向のサイズが前後方向の両側の従動ローラ２８間の間隔以上である場合、３組の第１ＬＦローラ２７および従動ローラ２８からシートＳに搬送力が付与される。
【００６０】
その後、シートＳは、コンタクトガラス６１およびコンタクトガラス６３上を順に通過する。コンタクトガラス６１およびコンタクトガラス６３上のシートＳに、それぞれ密着イメージセンサモジュール６２，６４のＬＥＤ光源から光が照射される。そして、シートＳでの反射光が密着イメージセンサモジュール６２，６４のイメージセンサに受けられることにより、シートＳの両面に描かれている画像が読み取られる。
【００６１】
第２ＬＦローラ３１は、前側から見て時計回りに回転される。従動ローラ３２，３３は、前側から見て反時計回りに回転する。シートＳの先端部が第２ＬＦローラ３１および従動ローラ３２の各周面の当接部分に到達すると、第２ＬＦローラ３１および従動ローラ３２からシートＳに搬送力が付与される。その後、シートＳの先端部が第２ＬＦローラ３１および従動ローラ３３の各周面の当接部分に到達すると、第２ＬＦローラ３１および従動ローラ３３からシートＳに搬送力が付与される。
【００６２】
排出カバー５が閉じられているので、フラッパ８１が図２に示される状態に位置している。すなわち、フラッパ８１は、第２パス７８への径路を閉じ、第１パス７５への径路を開放している。なお、「第２パス７８への径路を閉じる」とは、常に第２パス７８への径路を完全に閉鎖することを意味する訳ではなく、たとえば部分的に閉鎖し、第２パス７８へのシートＳの進入を抑制する形態をも含む表現である。「開放する」も同様である。そのため、第２ＬＦローラ３１と従動ローラ３２との間から送り出されるシートＳは、その先端がフラッパ８１に沿って移動することにより、第１パス７５を搬送される。
【００６３】
従動ローラ３６は、第２ＬＦローラ３１の回転に伴って、前側から見て反時計回りに回転する。シートＳの先端部が第２ＬＦローラ３１および従動ローラ３６の各周面の当接部分に到達すると、第２ＬＦローラ３１からシートＳに搬送力が付与される。
【００６４】
第２ＬＦローラ３１と従動ローラ３６との間を通過したシートＳは、たとえば、排出部３７およびトレイ３上に跨がった状態に排出される。シートＳの先端部は、たとえば、排出部３７の右端縁を越えて、トレイ３上に載置される。シートＳの後端部は、たとえば、排出部３７上に残って、排出部３７上に載置される。これにより、排出部３７上のシートＳと供給部２１およびトレイ３上に跨がって載置されているシートとが重なり合うことが抑制される。
【００６５】
＜画像読取動作２＞
【００６６】
画像読取装置１における画像の読取対象のシートＳが葉書などの腰の比較的強いシートである場合、図３および図４に示されるように、排出カバー５が開かれる。また、第２受け部材９３が展開位置に配置される。シートＳは、１対のシート幅ガイド２２の間に右側から差し込まれて、供給部２１の上面４１にセンタ基準で載置される。
【００６７】
シートＳの先端部は、供給ローラ２３の周面上に配置される。供給ローラ２３が前側から見て反時計回りに回転されると、供給部２１上の最下のシートＳの下面と供給ローラ２３の周面との摩擦力などにより、そのシートＳが分離ローラ２４と分離片２５との間に送り込まれる。
【００６８】
分離ローラ２４は、前側から見て反時計回りに回転されている。シートＳの先端部が分離ローラ２４と分離片２５との間に挟まれたときに、シートＳがたとえば１枚ずつに分離され、１枚のシートＳのみが分離ローラ２４と分離片２５との間を通過して、共通パス５５に送り込まれる。
【００６９】
第１ＬＦローラ２７は、前側から見て時計回りに回転されている。従動ローラ２８は、第１ＬＦローラ２７の回転に伴って、前側から見て反時計回りに回転している。共通パス５５に送り込まれたシートＳの先端部が第１ＬＦローラ２７および従動ローラ２８の各周面の当接部分に到達すると、第１ＬＦローラ２７および従動ローラ２８からシートＳに搬送力が付与される。
【００７０】
その後、シートＳは、コンタクトガラス６１およびコンタクトガラス６３上を順に通過する。コンタクトガラス６１およびコンタクトガラス６３上のシートＳに、それぞれ密着イメージセンサモジュール６２，６４のＬＥＤ光源から光が照射される。そして、シートＳでの反射光が密着イメージセンサモジュール６２，６４のイメージセンサに受けられることにより、シートＳの両面に描かれている画像が読み取られる。
【００７１】
第２ＬＦローラ３１は、前側から見て時計回りに回転される。従動ローラ３２，３３は、前側から見て反時計回りに回転する。シートＳの先端部が第２ＬＦローラ３１および従動ローラ３２の各周面の当接部分に到達すると、第２ＬＦローラ３１および従動ローラ３２からシートＳに搬送力が付与される。その後、シートＳの先端部が第２ＬＦローラ３１および従動ローラ３３の各周面の当接部分に到達すると、第２ＬＦローラ３１および従動ローラ３３からシートＳに搬送力が付与される。
【００７２】
排出カバー５が開かれているので、フラッパ８１が図４に示される状態に位置している。すなわち、フラッパ８１は、第２パス７８への径路を開放し、第１パス７８への径路を閉じている。そのため、第２ＬＦローラ３１と従動ローラ３２との間から送り出されるシートＳは、フラッパ８１の下側を搬送される。
【００７３】
フラッパ８１の下側を通過したシートＳは、第２パス７８を搬送される。そして、シートＳが第２ＬＦローラ３１と従動ローラ３２との間を脱すると、筐体２からのシートＳの排出が完了する。筐体２から排出されたシートＳは、第１受け部材９１および第２受け部材９３に受けられる。
【００７４】
＜上読取部＞
【００７５】
上読取部３０は、図５、図６および図７に示されるように、コンタクトガラス６３および密着イメージセンサモジュール６４の他に、フレーム１０１および２つのスペーサ１０２，１０３を備える。密着イメージセンサモジュール６４は、図１２に示すように、長手方向に延びている。密着イメージセンサモジュール６４は、長手方向が前後方向に沿うように、筐体２に設けられる。従って、密着イメージセンサモジュール６４は、筐体２に設けられた状態において、前後方向に延びている。以後、密着イメージセンサモジュール６４、フレーム１０１および２つのスペーサ１０２，１０３の方向については、これらが筐体２に設けられた状態における方向にて説明する。
【００７６】
フレーム１０１は、筐体２に取り付けられる。フレーム１０１は、左壁部１０４、右壁部１０５、前壁部１０６、後壁部１０７、底壁部１０８、挿通壁部１０９、ガラス支持部１１０、ガラス押圧部１１１および係合壁部１１２を備える。
【００７７】
左壁部１０４は、前後方向および上下方向に延びている。
【００７８】
右壁部１０５は、左壁部１０４の右側に間隔を空けて設けられている。右壁部１０５は、前後方向および上下方向に延びている。右壁部１０５の前端部１１３および後端部１１４は、前側に凹む凹状に形成されている。
【００７９】
前壁部１０６は、左壁部１０４の前端と右壁部１０５の前端との間に架設されている。
【００８０】
後壁部１０７は、左壁部１０４の後端と右壁部１０５の後端との間に架設されている。
【００８１】
底壁部１０８は、左壁部１０４、右壁部１０５、前壁部１０６および後壁部１０７の各上端間に架設されている。
【００８２】
左壁部１０４、右壁部１０５、前壁部１０６、後壁部１０７および底壁部１０８による凹部１１５がフレーム１０１に形成されている。密着イメージセンサモジュール６４は、凹部１１５に収容されている。
【００８３】
挿通壁部１０９は、図８および図９に示されるように、凹部１１５における右壁部１０３の前端部１１３によって前側、後側および右側を囲まれる部分に設けられている。また、挿通壁部１０９は、凹部１１５における右壁部１０３の後端部１１４によって前側、後側および右側を囲まれる部分に設けられている。各挿通壁部１０９は、底壁部１０８から立ち上がり、左右方向に延びている。図９に示されるように、各挿通壁部１０９がその上端縁から下側に切り欠かれることにより、挿通溝１１６が各挿通壁部１０９に前後方向に貫通して形成されている。
【００８４】
ガラス支持部１１０は、図５、図６および図７に示されるように、前後に１対設けられている。前側のガラス支持部１１０は、図５および図６に示されるように、前壁部１０６から下側に延び、後側に屈曲して延びている。後側のガラス支持部１１０は、後壁部１０７から下側に延び、前側に屈曲して延びている。
【００８５】
ガラス押圧部１１１は、前側のガラス支持部１１０の右側に設けられている。ガラス押圧部１１１の後端部は、前壁部１０６の上側に位置している。ガラス押圧部１１１は、弾性変形可能に形成されている。ガラス押圧部１１１の弾性変形により、ガラス押圧部１１１の後端部が前後方向に移動可能である。
【００８６】
係合壁部１１２は、前壁部１０６の前端部１１３および後端部１１４に対して前側に間隔を空けた位置に設けられている。各係合壁部１１２は、前後方向および上下方向に延びている。各係合壁部１１２の上端部には、図９に示されるように、切欠１１７が形成されている。
【００８７】
密着イメージセンサモジュール６４は、本体部１２１および位置決め部１２２を備える。
【００８８】
本体部１２１は、凹部１１５に収容されて、前後方向に延びている。
【００８９】
位置決め部１２２は、本体部１２１の前端部および後端部から右側に突出している。各位置決め部１２２は、各挿通壁部１０９の後側に配置される。位置決め部１２２は、突起部１２３を備えている。突起部１２３は、位置決め部１２２から前側に突出し、挿通壁部１０９の挿通溝１１６に挿通されている。突起部１２３が挿通溝１１６に挿通されることにより、密着イメージセンサモジュール６４がフレーム１０１に対して左右方向に位置決めされる。
【００９０】
また、密着イメージセンサモジュール６４は、図８に示されるように、ケーブル１２４を備えている。ケーブル１２４の一端は、本体部１２１の前上端部に接続されている。ケーブル１２４の他端は、非図示の基板に接続されている。ケーブル１２４の途中部は、つづら折り状に屈曲されて、本体部１２１と底壁部１０８との間に配置されている。
【００９１】
スペーサ１０２は、図１０に示されるように、第１部分１３１、第２部分１３２、係合部１３３および突出部１３４を備える。
【００９２】
第１部分１３１は、左右方向に延びている。第１部分１３１は、その上面から上方に突出する突軸１３５を備える。
【００９３】
第２部分１３２は、第１部分１３１の右側に延出し、前後方向に延びている。
【００９４】
係合部１３３は、第２部分１３２の右端縁から上方に延びている。係合部１３３の先端部には、突条１３６が形成されている。突条１３６は、係合部１３３から右側に突出し、前後方向に延びている。
【００９５】
突出部１３４は、第２部分１３２の下面１３７の後側に片寄った位置に設けられている。突出部１３４は、その左側の下面１３７に対する突出量が右側の下面１３７に対する突出量よりも大きいように形成されている。突出部１３４は、右側から左側にかけて下側に傾斜した傾斜部分を有する。
【００９６】
第１部分１３１は、密着イメージセンサモジュール６４の本体部１２１の前端部の下側に配置される。この状態において、突軸１３５は、図９に示されるように、本体部１２１に形成された穴１３８に嵌り込む。第２部分１３２は、密着イメージセンサモジュール６４の前側の位置決め部１２２を下側から覆う。係合部１３３は、右壁部１０３の前端部１１３と係合壁部１１２との間に進入する。そして、係合部１３３の突条１３６が係合壁部１１２の切欠１１７に入り込み、その突条１３６が係合壁部１１２に係合する。これにより、スペーサ１０２がフレーム１０１に取り付けられる。
【００９７】
スペーサ１０３は、図１１に示されるように、第１部分１４１、第２部分１４２、係合部１４３および突出部１４４を備える。
【００９８】
第１部分１４１は、左右方向に延びている。第１部分１４１は、その上面から上方に突出する突軸１４５を備える。
【００９９】
第２部分１４２は、第１部分１４１の右側に延出し、前後方向に延びている。
【０１００】
係合部１４３は、第２部分１４２の右端縁から上方に延びている。係合部１４３の先端部には、突条１４６が形成されている。突条１４６は、係合部１４３から右側に突出し、前後方向に延びている。
【０１０１】
突出部１４４は、第２部分１４２の下面１４７の後側に片寄った位置に設けられている。突出部１４４は、その左側の下面１４７に対する突出量が右側の下面１４７に対する突出量よりも大きいように形成されている。突出部１４４は、右側から左側にかけて下側に傾斜した傾斜部分を有する。
【０１０２】
第１部分１４１は、密着イメージセンサモジュール６４の本体部１２１の後端部の下側に配置される。この状態において、突軸１４５は、本体部１２１に形成された非図示の穴に嵌り込む。第２部分１４２は、図１２に示すように、密着イメージセンサモジュール６４の後側の位置決め部１２２を下側から覆う。係合部１４３は、右壁部１０３の後端部１１４と係合壁部１１２との間に進入する。そして、係合部１４３の突条１４６が係合壁部１１２の切欠１１７に入り込み、その突条１４６が係合壁部１１２に係合する。これにより、スペーサ１０３がフレーム１０１に取り付けられる。
【０１０３】
コンタクトガラス６３の前端部は、スペーサ１０２の第１部分１３１と前側のガラス支持部１１０との間に差し込まれる。これにより、スペーサ１０２の第１部分１３１は、コンタクトガラス６３と密着イメージセンサモジュール６４の本体部１２１の前端部との間に介在される。一方、コンタクトガラス６３の後端部は、スペーサ１０３の第１部分１４１と後側のガラス支持部１１０との間に差し込まれる。これにより、スペーサ１０３の第１部分１４１は、コンタクトガラス６３と密着イメージセンサモジュール６４の本体部１２１の後端部との間に介在される。
【０１０４】
コンタクトガラス６３の右端縁は、スペーサ１０２の第２部分１３２およびスペーサ１０３の第２部分１４２に当接される。第２部分１３２，１４２は、コンタクトガラス６３と係合壁部１１２との間に介在される。
【０１０５】
また、コンタクトガラス６３の前端部がスペーサ１０２の第１部分１３１と前側のガラス支持部１１０との間に差し込まれるときに、ガラス押圧部１１１が弾性変形されて、ガラス押圧部１１１の後端部が前側に移動される。コンタクトガラス６３の前端部がスペーサ１０２の第１部分１３１と前側のガラス支持部１１０との間に差し込まれた後、ガラス押圧部１１１の後端部により、コンタクトガラス６３が後側に押圧される。この押圧により、コンタクトガラス６３の後端部が後側のガラス支持部１１０に当接する。これにより、コンタクトガラス６３は、ガラス押圧部１１１と後側のガラス支持部１１０との間に挟持され、ガラス支持部１１０に下方から支持された状態で、フレーム１０１に取り付けられる。
【０１０６】
＜作用効果＞
【０１０７】
以上のように、スペーサ１０２の第１部分１３１およびスペーサ１０３の第１部分１４１が密着イメージセンサモジュール６４とコンタクトガラス６３との間に介在される。これにより、密着イメージセンサモジュール６４とコンタクトガラス６３との間隔が一定距離、つまり第１部分１３１，１４１の厚さに調整される。そのため、コンタクトガラス６３上に配置されるシートＳと密着イメージセンサモジュール６４との間隔を一定距離にすることができる。その結果、密着イメージセンサモジュール６４により、シートＳの画像を良好に読み取ることができる。
【０１０８】
第２部分１３２，１４２は、コンタクトガラス６３と係合壁部１１２との間に介在される。そのため、コンタクトガラス６３が係合壁部１１２まで延びている構成と比較して、コンタクトガラス６３の左右方向のサイズを小型化することができる。
【０１０９】
スペーサ１０２，１０３は、それぞれ突出部１３４，１４４を備える。そのため、シートＳが搬送されるときに、シートＳを突出部１３４，１４４に摺擦させることができる。突出部１３４，１４４は、その左側の下面１３７に対する突出量が右側の下面１３７に対する突出量よりも大きいように形成されている。そのため、突出部１３４，１４４により、シートＳをコンタクトガラス６３上にスムーズに案内することができる。
【０１１０】
また、スペーサ１０２がフレーム１０１に取り付けられた状態で、スペーサ１０２の係合部１３３およびスペーサ１０３の係合部１４３がそれぞれ係合壁部１１２に係合する。これにより、スペーサ１０２，１０３がフレーム１０１から浮くことを抑制できる。その結果、スペーサ１０２の第１部分１３１およびスペーサ１０３の第１部分１４１により、密着イメージセンサモジュール６４の移動を抑制することができる。
【０１１１】
また、スペーサ１０２の第２部分１３２は、密着イメージセンサモジュール６４の前側の位置決め部１２２を下側から覆う。スペーサ１０３の第２部分１４２は、密着イメージセンサモジュール６４の後側の位置決め部１２２を下側から覆う。そのため、第２部分１３２，１４２により、位置決め部１２２が下側に動くことを抑制できる。その結果、密着イメージセンサモジュール６４の移動を抑制することができる。
【０１１２】
＜変形例＞
【０１１３】
以上、本発明の一実施形態について説明したが、本発明は、他の形態で実施することもできる。
【０１１４】
たとえば、前述の実施形態では、密着イメージセンサモジュール６４をフレーム１０１に対して左右方向に位置決めするための構成として、突起部１２３が挿通溝１１６に挿通される構成を取り上げた。しかしながら、この構成に限定されず、たとえば、位置決め部１２２に穴が形成され、挿通壁部１０９に前後方向に延びる突起が形成されて、その突起が穴に挿入されることにより、密着イメージセンサモジュール６４がフレーム１０１に対して左右方向に位置決めされてもよい。すなわち、密着イメージセンサモジュール６４を左右方向においてフレーム１０１のほぼ一定の位置に配置することができる構成であれば、密着イメージセンサモジュール６４をフレーム１０１に対して左右方向に位置決めするための構成として、種々の構成を採用することができる。
【０１１５】
その他、前述の構成には、特許請求の範囲に記載された事項の範囲で種々の設計変更を施すことが可能である。
【符号の説明】
【０１１６】
１      画像読取装置
２      筐体
２７    第１ＬＦローラ
２８    従動ローラ
３１    第２ＬＦローラ
３２    従動ローラ
３３    従動ローラ
３６    従動ローラ
３０    上読取部
６３    コンタクトガラス
６４    密着イメージセンサモジュール
１０２  スペーサ
１０３  スペーサ
１２２  位置決め部
１３１  第１部分
１３２  第２部分
１３４  突出部
１３３  係合部
１４１  第１部分
１４２  第２部分
１４３  係合部
１４４  突出部
【図１】
2014099828.tif 000003
【図２】
2014099828.tif 000004
【図３】
2014099828.tif 000005
【図４】
2014099828.tif 000006
【図５】
2014099828.tif 000007
【図６】
2014099828.tif 000008
【図７】
2014099828.tif 000009
【図８】
2014099828.tif 000010
【図９】
2014099828.tif 000011
【図１０】
2014099828.tif 000012
【図１１】
2014099828.tif 000013
【図１２】
2014099828.tif 000014